(57)【要約】【課題】巻き付きジャムが発生した場合、同原因の巻き付きジャムの再発を防止する。【解決手段】画像形成部、定着部、用紙搬送経路、用紙搬送経路上に配置され、用紙のカールを調整するカール調整部、用紙搬送経路上を搬送される用紙の回転部材への巻き付きを検知する巻き付き検知部、ジョブを管理し、画像形成部及びカール調整部を制御する制御部を備える画像形成装置または画像形成システムであって、制御部は、巻き付き検知部の検知結果を受け、検知結果に基づいて用紙の巻き付きが発生していると判断した場合、用紙の後続の用紙のプリントではカール調整部によって、巻き付きが検知された回転部材に用紙が至る前に、後続の用紙のカール状態を調整して巻き付きを回避する巻き付き回避機能を有する。【選択図】図１
2015022240.tif 000002
【特許請求の範囲】
【請求項１】
用紙に画像を形成してプリントする画像形成装置において、
ジョブに基づいて用紙に画像形成を行う画像形成部と、
用紙に転写された画像を定着させる定着部と、
用紙が搬送される用紙搬送経路と、
前記用紙搬送経路上を搬送される用紙のカール状態を調整するカール調整部と、
前記用紙搬送経路上を搬送される用紙の回転部材への巻き付きを検知する巻き付き検知部と、
前記ジョブを管理し、少なくとも前記画像形成部および前記カール調整部を制御する制御部と、を備え、
前記制御部は、前記巻き付き検知部の検知結果を受け、該検知結果に基づいて用紙の巻き付きが発生していると判断した場合、前記用紙の後続の用紙のプリントでは前記カール調整部によって、巻き付きが検知された前記回転部材に前記用紙が至る前に、前記後続の用紙のカール状態を調整して前記巻き付きを回避する巻き付き回避機能を有することを特徴とする画像形成装置。
【請求項２】
前記制御部は、前記カール調整部によって前記巻き付き方向と逆の方向に前記用紙にカールを付与することにより前記巻き付きの回避を実行することを特徴とする請求項１記載の画像形成装置。
【請求項３】
前記回転部材が、前記画像形成部および前記定着部のいずれかまたは両方に含まれるものであることを特徴とする請求項１または２に記載の画像形成装置。
【請求項４】
前記カール調整部は、少なくとも１つが前記画像形成部の上流側に配置されていることを特徴とする請求項１〜３のいずれか１項に記載の画像形成装置。
【請求項５】
前記用紙搬送経路には、前記定着部を経た用紙を反転して前記画像形成部の上流側に環流させる反転搬送経路を有し、前記カール調整部は、少なくとも一つが前記定着部の下流側の前記用紙搬送経路であって前記反転搬送経路に至る経路に配置されていることを特徴とする請求項１〜４のいずれか１項に記載の画像形成装置。
【請求項６】
前記カール調整部はデカーラ機能を有しており、前記制御部は、前記巻き付き回避と前記デカーラとで異なる動作の制御を行うことを特徴とする請求項１〜５のいずれか１項に記載の画像形成装置。
【請求項７】
操作者の操作入力を受け付ける操作部を有し、
前記制御部は、前記巻き付き回避機能に関する設定を前記操作部を通して操作入力可能にすることを特徴とする請求項１〜６のいずれか１項に記載の画像形成装置。
【請求項８】
前記制御部は、ジョブの実行において、前記巻き付きが発生していると判定したページのプリントに際しては前記巻き付き回避動作を有効にし、前記ページ以外のページのプリントでは通常の動作でプリントを行うことを特徴とする請求項１〜７のいずれか１項に記載の画像形成装置。
【請求項９】
前記制御部は、前記巻き付きが発生したジョブの実行に際し前記巻き付き回避動作を有効にし、前記巻き付きが発生したジョブ以外の他のジョブの実行に際しては通常の動作でプリントを行うことを特徴とする請求項１〜８のいずれか１項に記載の画像形成装置。
【請求項１０】
前記制御部は、前記巻き付きが発生した用紙が給紙された給紙トレイから用紙が給紙されてプリントが実行される際に巻き付き回避動作を行う機能を有効とし、前記給紙トレイ以外の給紙トレイの用紙が給紙されてプリントが実行される際は通常の動作でプリントを行うことを特徴とする請求項１〜９のいずれか１項に記載の画像形成装置。
【請求項１１】
前記制御部は、前記巻き付きが発生した用紙が給紙された給紙トレイで前記巻き付き後に用紙設定が変更された場合は、該給紙トレイから用紙が給紙されてプリントが実行される際は通常の動作でプリントを行うことを特徴とする請求項１〜１０のいずれか１項に記載の画像形成装置。
【請求項１２】
前記制御部は、前記巻き付きが発生した用紙が給紙された給紙トレイで前記巻き付き後に前記給紙トレイに用紙が補給された場合は、該給紙トレイから用紙が給紙されてプリントが実行される際は通常の動作でプリントを行うことを特徴とする請求項１〜１１のいずれか１項に画像形成装置。
【請求項１３】
前記制御部は、前記巻き付き回避動作後に該動作の対象となった用紙のサンプル排紙を可能にするとともに、前記サンプル排紙が行われた場合、前記サンプル排紙後の処理方法を操作部を通して操作者が選択することを可能にすることを特徴とする請求項１〜１２のいずれか１項に記載の画像形成装置。
【請求項１４】
前記用紙搬送経路上であって、画像形成を完了した用紙を搬送する経路上に該用紙のカールを修正するデカーラを備えることを特徴とする請求項１〜１３のいずれか１項に記載の画像形成装置。
【請求項１５】
前記制御部は、前記カール調整部によってカール状態を調整した用紙に対し、前記デカーラによる用紙へのカール修正を可能にすることを特徴とする請求項１４記載の画像形成装置。
【請求項１６】
ジョブに基づいて用紙に画像形成を行う画像形成部と、
用紙に転写された画像を定着させる定着部と、
用紙が搬送される用紙搬送経路と、
前記用紙搬送経路上を搬送される用紙のカール状態を調整するカール調整部と、
前記用紙搬送経路上を搬送される用紙の回転部材への巻き付きを検知する巻き付き検知部と、
前記ジョブを管理し、少なくとも前記画像形成部および前記カール調整部を制御する制御部と、を備え、
前記制御部は、前記巻き付き検知部の検知結果を受け、該検知結果に基づいて用紙に巻き付きが発生していると判断した場合、前記用紙の後続の用紙のプリントでは前記カール調整部によって、巻き付きが検知された前記回転部材に前記用紙が至る前に、前記用紙のカール状態を調整して前記巻き付きを回避する巻き付き回避機能を有することを特徴とする画像形成システム。
【請求項１７】
前記画像形成部と前記定着部を備える画像形成装置と、前記画像形成装置に接続された外部装置とを有し、
前記カール調整部が前記外部装置に備えられていることを特徴とする請求項１６記載の画像形成システム。
【請求項１８】
用紙を搬送しつつ画像を形成してプリントする画像形成方法において、搬送される用紙の巻き付きが生じているか否かを判定するステップと、前記判定において用紙の巻き付きが発生していると判断される場合、前記用紙の後続の用紙のプリントでは、巻き付きが発生した用紙搬送位置に後続の用紙が至る前に、前記後続の用紙のカール状態を調整して前記巻き付きを回避するステップとを有することを特徴とする画像形成方法。
【請求項１９】
前記巻き付きを回避するステップを実行するか否かを判定するステップを有することを特徴とする請求項１８記載の画像形成方法。
【発明の詳細な説明】
【技術分野】
【０００１】
この発明は、用紙搬送中に用紙の巻き付きが生じた場合に以降の巻き付きの再発を防止する画像形成装置、画像形成方法および画像形成システムに関するものである。
【背景技術】
【０００２】
複写機、ファクシミリ、プリンタや、これら機能が複合した複合機などの画像形成装置では、用紙に画像を転写、定着するプロセスを有している。このプロセスにおいては、転写ドラム（ベルト）や定着器に用紙が巻き付いてＪＡＭとなってしまう場合があり、問題になっている。巻き付きの原因としては主に以下の事由が挙げられる。
・用紙先端部の画像濃度が濃いことで転写ドラム（ベルト）または定着器に用紙が巻き付いてしまう
・用紙へのプリント１面目で濃い画像が転写された用紙や、水分を多く含んだ用紙が定着部を通過することで  その用紙がカールしてしまい、プリント２面目で転写ドラム（ベルト）や定着器に用紙が巻き付いてしまう。
上記のような用紙の巻き付きについては従来から問題になっており、これに対する対策も提案されている。
例えば特許文献１では、用紙１面目の定着後、２面目のプリントに際し巻き付きが生じやすいことから、１面目の定着後、２面目のプリント前に、用紙のカール矯正を行うことで用紙の巻き付きが生じ難いようにしている。
【先行技術文献】
【特許文献】
【０００３】
【特許文献１】特関２０００−２０６７３９号公報
【発明の概要】
【発明が解決しようとする課題】
【０００４】
しかし、特許文献１の方法では、用紙に対し常にカール矯正を行うため、２面目で巻き付くおそれのない用紙に対しても不要にカール矯正してしまう。例えば、１面目定着後の用紙状態がカール無しで良好な場合でもカール機構を通るために、両面搬送路内を用紙がカールした状態で搬送させることとなる。そのため、用紙搬送中にガイド板等に引っかかったりするなど、別要因のＪＡＭを引き起こす可能性が高くなってしまう。本来、巻き付きの可能性がない場合はなるべく用紙をカール矯正せず、まっすぐの状態のままとする方が、用紙への負荷、搬送性能等を考慮すると望ましい。
【０００５】
本発明は、上記事情を背景としてなされたものであり、用紙の巻き付きが発生しやすい状況に応じて、巻き付き防止を図ることができる画像形成装置および画像形成方法ならびに画像形成システムを提供することを目的とする。
【課題を解決するための手段】
【０００６】
すなわち、本発明の画像形成装置のうち、第１の本発明は、
用紙に画像を形成してプリントする画像形成装置において、ジョブに基づいて用紙に画像形成を行う画像形成部と、用紙に転写された画像を定着させる定着部と、用紙が搬送される用紙搬送経路と、前記用紙搬送経路上を搬送される用紙のカール状態を調整するカール調整部と、前記用紙搬送経路上を搬送される用紙の回転部材への巻き付きを検知する巻き付き検知部と、前記ジョブを管理し、少なくとも前記画像形成部および前記カール調整部を制御する制御部と、を備え、
前記制御部は、前記巻き付き検知部の検知結果を受け、該検知結果に基づいて用紙の巻き付きが発生していると判断した場合、前記用紙の後続の用紙のプリントでは前記カール調整部によって、巻き付きが検知された前記回転部材に前記用紙が至る前に、前記後続の用紙のカール状態を調整して前記巻き付きを回避する巻き付き回避機能を有することを特徴とする。
【０００７】
第２の本発明の画像形成装置は、前記第１の本発明において、前記制御部は、前記カール調整部によって前記巻き付き方向と逆の方向に前記用紙にカールを付与することにより前記巻き付きの回避を実行することを特徴とする。
【０００８】
第３の本発明の画像形成装置は、前記第１または第２の本発明において、前記回転部材が、前記画像形成部および前記定着部のいずれかまたは両方に含まれるものであることを特徴とする。
【０００９】
第４の本発明の画像形成装置は、前記第１〜第３の本発明において、前記カール調整部は、少なくとも１つが前記画像形成部の上流側に配置されていることを特徴とする。
【００１０】
第５の本発明の画像形成装置は、前記第１〜第４の本発明において、前記用紙搬送経路には、前記定着部を経た用紙を反転して前記画像形成部の上流側に環流させる反転搬送経路を有し、前記カール調整部は、少なくとも一つが前記定着部の下流側の前記用紙搬送経路であって前記反転搬送経路に至る経路に配置されていることを特徴とする。
【００１１】
第６の本発明の画像形成装置は、前記第１〜第５の本発明において、前記カール調整部はデカーラ機能を有しており、前記制御部は、前記巻き付き回避と前記デカーラとで異なる動作の制御を行うことを特徴とする。
【００１２】
第７の本発明の画像形成装置は、前記第１〜第６の本発明において、操作者の操作入力を受け付ける操作部を有し、前記制御部は、前記巻き付き回避機能に関する設定を前記操作部を通して操作入力可能にすることを特徴とする。
【００１３】
第８の本発明の画像形成装置は、前記第１〜第７の本発明において、前記制御部は、ジョブの実行において、前記巻き付きが発生していると判定したページのプリントに際しては前記巻き付き回避動作を有効にし、前記ページ以外のページのプリントでは通常の動作でプリントを行うことを特徴とする。
【００１４】
第９の本発明の画像形成装置は、前記第１〜第８の本発明において、前記制御部は、前記巻き付きが発生したジョブの実行に際し前記巻き付き回避動作を有効にし、前記巻き付きが発生したジョブ以外の他のジョブの実行に際しては通常の動作でプリントを行うことを特徴とする。
【００１５】
第１０の本発明の画像形成装置は、前記第１〜第９の本発明において、前記制御部は、前記巻き付きが発生した用紙が給紙された給紙トレイから用紙が給紙されてプリントが実行される際に巻き付き回避動作を行う機能を有効とし、前記給紙トレイ以外の給紙トレイの用紙が給紙されてプリントが実行される際は通常の動作でプリントを行うことを特徴とする。
【００１６】
第１１の本発明の画像形成装置は、前記第１〜第１０の本発明において、前記制御部は、前記巻き付きが発生した用紙が給紙された給紙トレイで前記巻き付き後に用紙設定が変更された場合は、該給紙トレイから用紙が給紙されてプリントが実行される際は通常の動作でプリントを行うことを特徴とする。
【００１７】
第１２の本発明の画像形成装置は、前記第１〜第１１の本発明において、前記制御部は、前記巻き付きが発生した用紙が給紙された給紙トレイで前記巻き付き後に前記給紙トレイに用紙が補給された場合は、該給紙トレイから用紙が給紙されてプリントが実行される際は通常の動作でプリントを行うことを特徴とする。
【００１８】
第１３の本発明の画像形成装置は、前記第１〜第１２の本発明において、前記制御部は、前記巻き付き回避動作後に該動作の対象となった用紙のサンプル排紙を可能にするとともに、前記サンプル排紙が行われた場合、前記サンプル排紙後の処理方法を操作部を通して操作者が選択することを可能にすることを特徴とする。
【００１９】
第１４の本発明の画像形成装置は、前記第１〜第１３の本発明において、前記用紙搬送経路上であって、画像形成を完了した用紙を搬送する経路上に該用紙のカールを修正するデカーラを備えることを特徴とする。
【００２０】
第１５の本発明の画像形成装置は、前記第１４の本発明において、前記制御部は、前記カール調整部によってカール状態を調整した用紙に対し、前記デカーラによる用紙へのカール修正を可能にすることを特徴とする。
【００２１】
第１６の本発明の画像形成システムは、ジョブに基づいて用紙に画像形成を行う画像形成部と、用紙に転写された画像を定着させる定着部と、用紙が搬送される用紙搬送経路と、前記用紙搬送経路上を搬送される用紙のカール状態を調整するカール調整部と、前記用紙搬送経路上を搬送される用紙の回転部材への巻き付きを検知する巻き付き検知部と、前記ジョブを管理し、少なくとも前記画像形成部および前記カール調整部を制御する制御部と、を備え、
前記制御部は、前記巻き付き検知部の検知結果を受け、該検知結果に基づいて用紙に巻き付きが発生していると判断した場合、前記用紙の後続の用紙のプリントでは前記カール調整部によって、巻き付きが検知された前記回転部材に前記用紙が至る前に、前記用紙のカール状態を調整して前記巻き付きを回避する巻き付き回避機能を有することを特徴とする。
【００２２】
第１７の本発明の画像形成システムは、前記第１６の本発明において、前記画像形成部と前記定着部を備える画像形成装置と、前記画像形成装置に接続された外部装置とを有し、前記カール調整部が前記外部装置に備えられていることを特徴とする。
【００２３】
第１８の本発明の画像形成方法は、用紙を搬送しつつ画像を形成してプリントする画像形成方法において、搬送される用紙の巻き付きが生じているか否かを判定するステップと、前記判定において用紙の巻き付きが発生していると判断される場合、前記用紙の後続の用紙のプリントでは、巻き付きが発生した用紙搬送位置に後続の用紙が至る前に、前記後続の用紙のカール状態を調整して前記巻き付きを回避するステップとを有することを特徴とする。
【００２４】
第１９の本発明の画像形成方法は、前記第１８の本発明において、前記巻き付きを回避するステップを実行するか否かを判定するステップを有することを特徴とする。
【発明の効果】
【００２５】
以上説明したように、本発明によれば、用紙の巻き付きが生じやすい状況で巻き付きの再発防止を図ることができ、無用な巻き付き対策による不具合を回避できる。また、巻き付きジャム防止の対処方法を簡易化することができる効果がある。
【図面の簡単な説明】
【００２６】
【図１】本発明の一実施形態における画像形成装置の全体図を示す。
【図２】同じく、制御ブロック図を示す。
【図３】同じく、用紙の巻き付き状態を示す画像形成装置の概略図である。
【図４】同じく、リカバリ方法選択画面を示す図である。
【図５】同じく、カール状態確認画面を示す図である。
【図６】同じく、通常の搬送経路とカール調整時の搬送経路を示す画像形成装置の概略図である。
【図７】同じく、ジョブ実行に際してのメインシーケンスを示すフローチャートである。
【図８】同じく、メインシーケンス中のジャム処理シーケンスを示すフローチャートである。
【図９】同じく、ジャム処理シーケンス中のリカバリ方法決定シーケンスを示すフローチャートである。
【図１０】同じく、２面目定着後のデカーラ設定画面を示す図である。
【図１１】本発明の他の実施形態であって、一面目の画像形成前の用紙に対しカール調整可能な画像形成装置の概略図である。
【図１２】本発明の他の実施形態であって、画像形成装置と外部装置に亘って各構成を有する画像形成システムの概略図である。
【発明を実施するための形態】
【００２７】
以下に、本発明の一実施形態の画像形成装置を添付図面に基づいて説明する。
図１は、画像形成装置全体の中央断面図であり、機械的な構成を示している。以下に、その構成を説明する。
画像形成装置１は、画像形成装置本体５の上部側に、図２に示すＣＣＤ１３１を含むスキャナー部１３０、図示しない流し込みｔｙｐｅ自動原稿給送装置（ＡＤＦ）が設けられており、プラテンガラス３１またはＡＤＦ原稿読み取り用スリットガラスを通して原稿の画像読取が可能になっている。
また、画像形成装置本体５の上部側で、プラテンガラス３１が位置しない箇所に、ＬＣＤ１４１を用いたタッチパネルからなる操作部１４０が設けられて、操作者による操作および情報の表示が可能になっている。操作部１４０は、操作部を構成するとともに表示部を兼用している。なお、本発明としては、操作部と表示部とを別体で構成することも可能である。
【００２８】
画像形成部１０では、各色（シアン、マゼンタ、イエロー、ブラックなど）用にそれぞれ用意された感光体１１Ｃ、１１Ｍ、１１Ｙ、１１Ｋ（以下、総称する場合、感光体１１と称する）を有し、各感光体１１Ｃ、１１Ｍ、１１Ｙ、１１Ｋの周線部に帯電器１２Ｃ、１２Ｍ、１２Ｙ、１２Ｋ（以下、総称する場合、帯電器１２と称する）、ＬＤからなる書き込み部１３Ｃ、１３Ｍ、１３Ｙ、１３Ｋ（以下、総称する場合、書き込み部１３と称する）、現像ユニット１４Ｃ、１４Ｍ、１４Ｙ、１４Ｋ（以下、総称する場合、現像ユニット１４と称する）が配設されており、帯電器１２によって帯電した感光体１１表面は、画像メモリーなどに記録された原稿の画像情報に基づいて書き込み部１３により像露光が行われ、感光体１１表面には潜像が形成される。該潜像は現像ユニット１４によって現像がなされてトナー像となる。トナー像は、中間転写ベルト１６に転写され、該中間転写ベルト１６から二次転写ローラー１８によって搬送路２２で搬送される用紙に転写される。
【００２９】
転写された用紙は定着装置１９によって加熱定着されて排紙部に排紙される。定着装置１９には、定着ローラ１９Ａ、１９Ｂが備えられている。上記画像形成から排紙に至るプロセスが用紙へのプリントに相当する。定着装置１９は、本発明の定着部に相当する。
なお、中間転写ベルト１６や定着ローラ１９Ａ、１９Ｂは、用紙の巻き付きが生じやすい回転部材に相当し、搬送路２２から中間転写ベルト１６や定着ローラ１９Ａ、１９Ｂに至るその周囲には用紙の巻き付きを検知する巻き付きセンサ１８０、１８１が配置されており、巻き付きセンサ１８０、１８１は、反射型の光学センサなどによって構成することができる。ただし、本実施形態としては巻き付きセンサの構成が特定のものに限定されるものではない。上記巻き付きセンサ１８０、１８１は本発明の巻き付き検知部に相当する。
【００３０】
また、画像形成部１０では、各感光体１１Ｃ、１１Ｍ、１１Ｙ、１１Ｋに対応して、中間転写ベルト１６との接触位置よりも回転方向側かつ帯電器１２Ｃ、１２Ｍ、１２Ｙ、１２Ｋよりも回転方向逆側で、各感光体１１Ｃ、１１Ｍ、１１Ｙ、１１Ｋに接触して残留トナーを除去するクリーニング部１５Ｃ、１５Ｍ、１５Ｙ、１５Ｋ（以下、総称する場合、クリーニング部１５と称する）が配置されている。また、中間転写ベルト１６の用紙転写位置よりも回転方向側かつ各感光体１１Ｃ、１１Ｍ、１１Ｙ、１１Ｋとの転写位置よりも回転方向逆側に、該中間転写ベルト１６の残留トナーを除去するクリーニング部１７が配置されている。
なお、上記した各感光体１１は、図示しない駆動モータによって回転駆動され、中間転写ベルト１６も同じく図示しない駆動モータによって回転駆動される。
【００３１】
また、画像形成装置１には、前記画像形成部１０の下方側に、用紙を収納した複数の給紙トレイ２１が配置されている。前記搬送路２２は、各給紙トレイ２１から画像形成部１０に至り、さらに画像形成部１０から排紙部に至っている。
搬送路２２には、用紙を突き当てて傾きを修正する対のレジストローラー２３が配置されている。
【００３２】
搬送路２２では、給紙トレイ２１に収容されている用紙が給紙され、レジストローラー２３を経て、二次転写ローラー１８に搬送される。二次転写ローラー１８では、用紙上に中間転写ベルト１６上のカラー画像やモノクロ画像が転写される。画像が転写された用紙は、定着装置１９にて定着ローラ１９Ａ、１９Ｂで熱と圧力とを加えることにより用紙上のトナー像が定着される。
【００３３】
また、画像形成装置１は用紙反転搬送路２４を備えており、定着がなされた用紙を定着装置１９から用紙反転搬送路２４に導いて表裏を反転しフェイスダウンで排出、あるいは両面モードにおいて用紙の両面に画像形成を行うことを可能としている。なお、用紙反転搬送路２４は、定着装置１９の下流側で搬送切替器２２Ａを回して搬送路２２から分岐している。搬送切替器２２Ａは、搬送路２２を搬送される用紙をそのまま排紙するか、用紙反転搬送路２４に搬送するかを切り替えすることができる。
【００３４】
また、用紙反転搬送路２４の下流側は、レジストローラー２３の上流側で搬送路２２に合流しており、用紙を環流させることができる。用紙搬送路２２および用紙反転搬送路２４は、本発明の用紙搬送経路に相当する。
また、用紙反転搬送路２４の上流側には、搬送される用紙に曲げ力を付与するカール調整器５０が配置されている。カール調整器５０は、湾曲した経路を有しており、該経路を通過する用紙にカールを付与したり、カールの矯正を行ったりすることができる。この実施形態では、画像形成がされた直後の用紙の画像形成面を内側に曲げる力が加わることで、巻き付き方向とは逆方向の曲げ力を加えて巻き付きを防止する。なお、用紙反転搬送路２４では、搬送される用紙をカール調整器５０に通すか、カール調整器５０をバイパスしてストレートに搬送するかを切り替えることができる。
【００３５】
図２は、デジタル複合機（コピア、プリンター、スキャナー）である画像形成装置１の回路ブロックとＰＣ２（パーソナルコンピュータ）との接続を示しており、画像形成システムの全体ブロック図である。その内容を以下に詳細に説明する。
画像形成装置１は、制御ブロック１１０とスキャナー部１３０と操作部１４０とプリンター部１５０とを有するデジタルコピア本体と、ＬＡＮ３を通して外部機器（ＰＣ）２から入力される画像データーを処理し、またはスキャナー部１３０で得た画像データーを、ＬＡＮ３を通して外部機器である外部機器（ＰＣ）２に転送可能にする画像処理手段（プリント＆スキャナーコントローラー）１６０とを備えている。
【００３６】
制御ブロック１１０には前記画像処理手段（プリント＆スキャナーコントローラー）１６０に接続されたＰＣＩバス１１２を有しており、該ＰＣＩバス１１２にＤＲＡＭ制御ＩＣ１１１が接続されている。ＤＲＡＭ制御ＩＣ１１１には、圧縮メモリー１２０とページメモリー１２１とからなる画像メモリーが接続されている。圧縮メモリー１２０は、圧縮画像データーを格納するためのメモリーであり、ページメモリー１２１は、画像形成前にプリント対象の非圧縮画像データーを一時的に格納するためのメモリーである。
【００３７】
上記画像処理手段（プリント＆スキャナーコントローラー）１６０で取得される画像データーは、プリント動作に伴ってＰＣＩバス１１２を通してＤＲＡＭ制御ＩＣ１１１へと送信される。
また、制御ブロック１１０には、制御ＣＰＵ１１３を備えており、該制御ＣＰＵ１１３に前記ＤＲＡＭ制御ＩＣ１１１が接続されている。
また、制御ＣＰＵ１１３には、フラッシュメモリーなどにより構成される不揮発メモリー１１５が接続されている。該不揮発メモリー１１５には、画像形成装置１の初期印刷設定情報や、プロセス制御パラメータ等の機械設定情報、ユーザー設定値などが格納されている。また、不揮発メモリー１１５には、上記制御ＣＰＵ１１３を動作させるための本発明のプログラム等が格納されている。
【００３８】
制御ＣＰＵ１１３は、不揮発メモリー１１５の不揮発データーを読み取り可能であり、また、所望のデーターを不揮発メモリー１１５に書き込むことが可能である。制御ＣＰＵ１１３は、上記機械設定情報や印刷設定情報などに従って画像形成装置１の各部を動作制御し、補正動作などを実施することもできる。また、制御ＣＰＵ１１３は、画像形成装置１の機械状態を管理し、画像形成装置における機械状態の変化を把握することができる。例えば、制御ＣＰＵ１１３には、巻き付きセンサ１８０、１８１の検知結果が送信可能とされており、転写ベルト１６や定着装置１９における用紙の巻き付きを判定することができる。また、用紙搬送路２２には、図示しない用紙センサが配置され、その検知結果が制御ＣＰＵ１１３に送信されている。制御ＣＰＵ１１３では、用紙が搬送される際に、用紙センサの検知結果を受けて用紙のＪＡＭが発生したか否かを判定することができる。また、制御ＣＰＵ１１３は、圧縮メモリー１２０に格納された画像データーやジョブに関するデーターに基づいてＪＯＢの管理制御などの画像形成制御を行う。制御ＣＰＵ１１３は、本発明の制御部を構成するものである。
【００３９】
スキャナー部１３０は、光学読み取りを行うＣＣＤ１３１と、スキャナー部１３０全体の制御を行うスキャナー制御部１３２とを備えている。スキャナー制御部１３２は、前記制御ＣＰＵ１１３とシリアル通信可能に接続されており、スキャナー部１３０が制御ＣＰＵ１１３で制御される。ＣＣＤ１３１は、該ＣＣＤ１３１で読み取った画像データーを処理する読み取り処理部１１６に接続され、該読み取り処理部１１６はＤＲＡＭ制御ＩＣ１１１に制御可能に接続されている。
また、スキャナー部１３０での複数枚の原稿の読み取りを行うために、図示しない流し込みｔｙｐｅ自動原稿給送装置（ＡＤＦ）を有している。
【００４０】
操作部１４０は、表示部と操作部とを兼ね、タッチパネルで構成されるＬＣＤ１４１と、操作部全体を制御する操作部制御部１４２とを備えており、操作部制御部１４２は制御ＣＰＵ１１３にシリアル通信可能に接続されている。
操作部１４０では、制御ＣＰＵ１１３の制御を受けて、ＬＣＤ１４１によって、画像形成装置１における出力条件設定や動作制御条件などの機械設定入力、各給紙トレイの用紙情報（サイズ、紙種）の設定入力や、設定内容の表示、警告などの所望の情報等の表示などが可能になっている。
【００４１】
前記ＤＲＡＭ制御ＩＣ１１１には、画像データーを圧縮する圧縮ＩＣ１１８と、圧縮されている画像データーを伸長する伸長ＩＣ１２５とが接続されている。書き込み処理部１２６は、プリンター部１５０のＬＤ１５２（図１の書き込み部１３が相当する）などを備える画像形成部１０に接続され、ＬＤ１５２の動作に用いられる書き込みデーターの処理を行う。
プリンター部１５０は、上記画像形成部１０の他、給紙トレイ２１、用紙搬送路２２を備える用紙搬送部などを含む。
【００４２】
また、プリンター部１５０は、プリンター部１５０の全体（給紙、画像形成、排紙、後処理など）を制御するプリンター制御部１５１を備えており、プリンター制御部１５１は前記した制御ＣＰＵ１１３に接続されている。プリンター制御部１５１は制御ＣＰＵ１１３の制御指令に従って動作してプリンター部１５０を制御する。プリンター制御部１５１を介して後処理装置（ＦＮＳ部）１７０の制御がなされる。プリンター部１５０は、制御ＣＰＵ１１３により制御され、制御ＣＰＵ１１３は用紙の搬送や画像形成の制御を行う。また、制御ＣＰＵ１１３は、巻き付きセンサ１８０、１８１の検知結果を受けて用紙をカール調整器５０に通すかどうかを決定して搬送の制御を行うことができる。
【００４３】
また、前記ＤＲＡＭ制御ＩＣ１１１が接続されたＰＣＩバス１１２には、前記画像処理手段（プリント＆スキャナーコントローラー）１６０のＤＲＡＭ制御ＩＣ１６１が接続されている。前記画像処理手段（プリント＆スキャナーコントローラー）１６０は、画像形成装置１をネットワークプリンターやネットワークスキャナーとして使用する場合に、ＬＡＮ３に接続される外部機器、例えば外部機器（ＰＣ）２などから画像データー等を画像形成装置１で受信したり、スキャナー部１３０で取得した画像データーをＬＡＮ３に接続される外部機器（ＰＣ）２などに送信したりするものである。
【００４４】
画像処理手段（プリント＆スキャナーコントローラー）１６０では、ＤＲＡＭ制御ＩＣ１６１に、ＤＲＡＭなどで構成される画像メモリー１６２が接続されている。また、画像処理手段（プリント＆スキャナーコントローラー）１６０では、共通バスに前記ＤＲＡＭ制御ＩＣ１６１と、画像処理手段（プリント＆スキャナーコントローラー）１６０全体の制御を行うコントローラー制御ＣＰＵ１６３、ＬＡＮインターフェース１６５が接続されている。ＬＡＮインターフェース１６５は、ＬＡＮ３に接続されている。
【００４５】
次に、上記画像形成装置１の基本的動作について説明する。
先ず、画像形成装置１において画像データーを蓄積する手順について説明する。
スキャナー部１３０で原稿の画像を読み取り画像データーを生成する場合、スキャナー部１３０において原稿からＣＣＤ１３１により原稿の画像を光学的に読み取る。この際には、制御ＣＰＵ１１３から指令を受けるスキャナー制御部１３２によってＣＣＤ１３１の動作制御を行う。ＣＣＤ１３１で読み取られた画像は、読み取り処理部１１６でデーター処理がなされ、データー処理された画像データーは、圧縮ＩＣ１１８において所定の方法によって圧縮され、ＤＲＡＭ制御ＩＣ１１１を介して圧縮メモリー１２０に格納される。圧縮メモリー１２０に格納された画像データーは、制御ＣＰＵ１１３によってジョブとして管理することができる。
【００４６】
画像データーを外部から取得する場合、例えば、外部機器（ＰＣ）２などからＬＡＮ３を通して送信される画像データーは、ＬＡＮインターフェース１６５を介してＤＲＡＭ制御ＩＣ１６１により画像メモリー１６２に格納される。画像メモリー１６２のデーターは、ＤＲＡＭ制御ＩＣ１６１、ＰＣＩバス１１２、ＤＲＡＭ制御ＩＣ１１１を介してページメモリー１２１に一旦格納される。ページメモリー１２１に格納されたデーターは、ＤＲＡＭ制御ＩＣ１１１を介して圧縮ＩＣ１１８に順次送られて圧縮処理され、ＤＲＡＭ制御ＩＣ１１１を介して圧縮メモリー１２０に格納され、上記と同様に制御ＣＰＵ１１３による管理がなされる。
【００４７】
画像形成装置１で画像出力を行う場合、すなわち複写機やプリンターとして使用する場合、圧縮メモリー１２０に格納された画像データーを、ＤＲＡＭ制御ＩＣ１１１を介して伸長ＩＣ１２５に送出してデーターを伸長し、伸長したデーターを書き込み処理部１２６に送出し、ＬＤ１５２において感光体１１への書き込みを行う。
【００４８】
また、プリンター部１５０では、制御ＣＰＵ１１３の指令を受けたプリンター制御部１５１によって各部の制御が行われる。画像形成部１０では感光体１１に書き込まれたトナー像が中間転写ベルト１６に転写された後、給紙トレイ２１によって供給される用紙に転写され、定着装置１９で定着がなされる。用紙は、給紙トレイ２１から用紙搬送路２２を通して搬送され、レジストローラー２３に用紙を突き当てて斜行を修正し、図示しない用紙位置測定部で用紙位置を測定して必要に応じてレジストローラー２３の揺動により片寄り補正を行う。その後、用紙は画像形成部１０へと搬送されて上記のように画像形成がなされる。
【００４９】
画像形成がなされた用紙は、プリント完了の場合、定着搬送ローラーを経て用紙搬送路２２によって後処理装置（ＦＮＳ部）１７０へと搬送され、後処理の指定がある場合には後処理がなされ、後処理が不要の場合、そのまま排紙トレイに排紙される。複数の予約ジョブがある場合、上記画像出力が設定順番に従って順次行われる。
また、感光体１１では、中間転写ベルト１６にトナー像が転写された後、クリーニング部１５によって残留トナーが除去される。また、中間転写ベルト１６においても同様に、用紙にトナー像が転写された後、クリーニング部１７によって残留トナーが除去される。
【００５０】
また、プリントが両面印刷の場合、１面側に画像形成がされた用紙は、定着装置１９で定着後、搬送切替器２２Ａによって用紙を用紙反転搬送路２４側に搬送し、カール調整器５０を通すか、カール調整器５０をバイパスする。用紙は、用紙反転搬送路２４で反転された後、用紙搬送路２２に環流され、２面側に画像が形成され、定着後、上記したように排紙がされる。
【００５１】
なお、用紙へのプリントに際しては、中間転写ベルト１６や定着装置１９での定着ローラ１９Ａなどの回転部材への巻き付きが発生することがある。この原因は、前記したように、用紙先端部の画像濃度が濃いことで転写ドラム（ベルト）や定着装置に用紙が巻き付いてしまったり、１面目で濃い画像が転写された用紙や、水分を多く含んだ用紙が定着部を通過することで用紙がカールし、２面目で転写ドラム（ベルト）や定着装置に用紙が巻き付いてしまったりすることがある。
【００５２】
図３は、定着装置１９の定着ローラ１９Ａに用紙Ｐが巻き付いた状態を示している。巻き付きは基本的には、画像面側が巻き付くことが多い。上記のような原因で巻き付きジャムが発生した場合、ユーザーがそのままジャム処理を実施してジョブを再開しても、また同様の巻き付きジャムが発生する可能性が高い。
本実施形態では、巻き付きジャムが発生しないようなジョブに対して影響を与えることなく、巻き付きジャムに対するユーザーの対処方法を簡易化し、１度巻き付きジャムが発生した場合でも連続して巻き付きジャムが発生しないようにすることを目的としている。そのため以下の処理方法が実行される。
なお、図３では、用紙搬送路２２の排紙側に用紙のカールを修正するデカーラ６０を有している。デカーラ６０は、用紙の下面側に内側の曲げを与える曲げ経路６０Ａと用紙の上面側に内側の曲げを与える曲げ経路６０Ｂとを有している。用紙搬送路２２を搬送される用紙は、デカーラ６０をバイパスするか、デカーラ６０の曲げ経路６０Ａまたは曲げ経路６０Ｂを通るように選択することができる。
【００５３】
この実施形態では、ジョブ実行中、２面目の画像形成プロセス（画像形成から定着に至るプロセス）において、転写ドラム（ベルト）や定着器での巻き付きジャムを検知した場合、従来通り、ジャムコードやジャムポジションを表示し、ユーザーにジャム紙を処理するように通知する。通常の搬送系ジャムの場合はジャム処理されてユーザーから開始指示を受けたところで従来通りリカバリ動作を開始するが、巻き付きジャムの場合はリカバリ動作前に図４のように操作部１４０にリカバリ方法選択画面１４００を表示するようにしてもよい。
【００５４】
リカバリ方法選択画面１４００には、巻き付きジャムが発生したことと、リカバリ方法の選択を求めることがメッセージ欄１４０１に表示され、さらに、「同一設定でリカバリ動作を実施する」釦１４０２と、「巻き付き回避設定でリカバリ動作を実施する」釦１４０３とが押釦可能に表示されている。
ここで「同一設定でリカバリ動作を実施する」が選択された場合は、そのままの設定でリカバリ動作を開始する（従来の動作）。「巻き付き回避設定でリカバリ動作を実施する」が選択された場合は、１面目定着後のカール調整設定を２面目の巻き付き方向とは逆方向のカールとなるよう設定を変更する。この場合、カール調整設定を変えることで用紙の出力状態がそれまで出力したものと変わる可能性があるため、１枚だけサンプル排紙動作を実施し、図５のように操作部１４０に出力物を確認する旨の内容を表示するようにしてもよい。なお、サンプル出力は、通常のプリントを行う前やプリント中に、ユーザーによる確認のためのプリントを可能にした機能であり、画像制御ＣＰＵ１１３の制御に基づいて操作部１４０を通して操作者が設定、実行指示を行うことをできる。
上記のようにこの実施形態では、巻き付き回避機能に関する設定として巻き付き回避機能の有効、無効を操作部を通して操作者が設定することができる。
【００５５】
図５に示すカール状態確認画面１４１０では、カール調整設定を変更（調整有り）してサンプル出力をしたことと、出力物のカール状態の確認を求めることがメッセージ欄１４１１に表示される。さらにカール状態確認画面１４１０には、「カール無し」釦１４１２、「カール有り」釦１４１３、「巻き付き回避設定キャンセル」釦１４１４がそれぞれ押釦可能に表示されており、操作者は、「カール無し」釦１４１２、「カール有り」釦１４１３、「巻き付き回避設定キャンセル」釦１４１４のいずれか一つを押釦して設定することができる。
【００５６】
なお、カール無しは、サンプル出力において出力物にカールはなく、良好な出力状態の場合に選択されることを想定したものであり、カール調整を継続するとともに最終的なカール修正は必要としないことを前提とする。カール有りは、サンプル出力において出力物にカールがあることを想定したものであり、カール調整を継続するとともに最終的なカール修正が可能であることを前提とする。
巻き付き回避設定キャンセルは、カール調整の結果、出力状態が良好でない場合に選択されることを想定したものであり、以降では巻き付き回避機能を無効にすることを前提としている。
【００５７】
すなわち、巻き付き回避設定にてサンプル排紙を行い、上記図５の画面にて「カール無し」が選択された場合、巻き付きＪＡＭ回避設定を有効にしてリカバリ動作を実施する。「カール有り」が選択された場合は、２面目定着後のデカーラ設定を変更する必要があるため、従来のデカーラ設定画面を表示して出力物に応じた設定変更を促し、再度サンプル排紙を実施してユーザに出力物を確認するよう要求する。「巻き付き回避設定キャンセル」が選択された場合は、デカーラ設定を元の条件（ＪＡＭ発生前の条件）に戻してリカバリ動作を実施する。
【００５８】
図６は、巻き付き回避設定の有無に応じた用紙の搬送経路を説明する図である。
巻き付き回避設定が行われておらず、通常の搬送の場合には、１面目の画像形成が終了し、２面目の画像形成に備えて用紙反転搬送路４５に導入された用紙は、カール調整器５０を通ることなくストレートの経路（図示Ａ経路）を通って搬送され、２面目に画像形成が行われる。
一方、巻き付き回避設定が有効になっている場合には、１面目の画像形成が終了し、２面目の画像形成に備えて用紙反転搬送路４５に導入された用紙は、カール調整器５０を通る経路（図示Ｂ経路）を通って搬送される。用紙がカール調整器５０を通る際には２面目の巻き付き方向とは逆方向に用紙をカールさせる。カール調整が行われた用紙は、２面目に画像形成がされ、その際には、画像形成や定着の際に用紙の巻き付きが再発するのを防止する。
【００５９】
次に、ジョブ実行におけるメインシーケンスの例を図７のフローチャートに基づいて説明する。なお、以下のシーケンスは、制御ＣＰＵ１１３の制御により実行される。
メインシーケンスではジョブのスタートを待機し（ステップｓ１、Ｎ）、ジョブがスタートすれば（ステップｓ１、Ｙ）、ジャムが発生しているかを判定する（ステップｓ２）。ジャムの発生は、前述したように用紙センサの検知結果などを用いて発生の有無を判定することができる。ジャムが発生していないと判定される場合(ステップｓ２、Ｎ)、ジョブエンドかを判定し（ステップｓ３）、ジョブエンドであれば（ステップｓ３、Ｙ）、メインシーケンスを終了し、ジョブエンドでなければ（ステップｓ３、Ｎ）、ステップｓ２に戻り処理を継続する。
【００６０】
一方、ステップｓ２でジョブが発生していると判定される場合（ステップｓ２、Ｙ）、ジャム処理シーケンスを実行し（ステップｓ４）、ジャム処理シーケンス実行後、再スタート指示されたかを判定する（ステップｓ５）。再スタート指示されていなければ該指示を待ち（ステップｓ５、Ｎ）、再スタート指示があれば（ステップｓ５、Ｙ）、ステップｓ２に戻りリカバリ動作を開始し、処理を継続する。
【００６１】
次に、ステップｓ４におけるジャム処理シーケンスについて図８のフローチャートに基づいて説明する。以下のシーケンスは制御ＣＰＵ１１３の制御により実行される。
ジョブ実行中、転写ドラム（ベルト）や定着器への巻き付きジャムや通常の搬送系ジャムの場合を検知した場合、ジャム処理シーケンスにおいて従来通りジャムコードやジャムポジションを表示し、ユーザーにジャム紙を処理するよう通知する。
その後、ジャム処理が完了したかを判定し（ステップｓ１０）、終了を待機する（ステップｓ１０、Ｎ）。ジャム処理完了は、操作者が操作部を通して指示をするものであってもよく、また、用紙センサの検知結果を利用するなどして判定するものであってもよい。
ジャム処理が完了したと判定されると（ステップｓ１０、Ｙ）、発生ジャムは巻き付きジャムかの判定を行う（ステップｓ１１）。巻き付きジャムかは、例えば、巻き付きセンサ１８０、１８１の検知結果を利用して判定することができる。
巻き付きジャムと判定されなければ（ステップｓ１１、Ｎ）、ジャム処理シーケンスを終了し、巻き付きジャムと判定されれば（ステップｓ１１、Ｙ）、リカバリ方法決定シーケンス（巻き付き回避設定）を実行し（ステップｓ１２）、ジャム処理シーケンスを終了する。巻き付きジャムと判定されない通常の搬送系ＪＡＭの場合は、ＪＡＭ処理された後、ユーザーからジョブ開始指示を直ちに受けることができる。
【００６２】
次に、ステップｓ１２におけるリカバリ方法決定シーケンスについて図９のフローチャートに基づいて説明する。以下のシーケンスは制御ＣＰＵ１１３の制御により実行される。
先ず、図４に示すようなリカバリ方法選択画面１４００を操作部１４０に表示し、操作者による操作入力を受け付ける（ステップｓ２０）。なお、リカバリ選択画面が図４に示すものに限定されるものではない。
【００６３】
操作者の操作入力を受けた後、巻き付き回避設定が選択されたかを判定する（ステップｓ２１）。巻き付き回避設定が選択されていなければ（ステップｓ２１、Ｎ）、「同一設定でリカバリ動作を実施する」釦１４０２が押釦されたことを意味しており、同一設定でリカバリ動作を実施する設定がなされ、リカバリ方法決定シーケンスを終了する。設定において巻き付き回避が有効とされていなければ、巻き付き回避無効の設定でリカバリ動作が実施されることになる。設定において巻き付き回避が有効とされていれば、巻き付き回避有効の設定でリカバリ動作が実施されることになる。
一方、ステップｓ２１で巻き付き回避設定が選択されたと判定される場合（ステップｓ２１、Ｙ）、すなわち「巻き付き回避設定でリカバリ動作を実施する」釦１４０３が押釦された場合、１面目定着後のカール調整設定を変更してカール調整有りにしてサンプル出力を行う（ステップｓ２２）。
【００６４】
カール調整有りで出力する場合、図６に示すように、２面目に画像形成を行うのに先立って１面目に画像形成がされた用紙を反転搬送路４５に導入するとともにカール調整部５０に用紙を通し（Ｂ経路）、巻き付きが生じていた方向と逆の方向に用紙に曲げ応力を加えてカールを調整する。なお、カール調整無しの場合は、２面目に画像形成を行うのに先立って１面目に画像形成がされた用紙を反転搬送路４５に導入し、カール調整部５０をバイパスしてストレート（Ａ経路）に用紙を通す。
【００６５】
カール調整有りでサンプル排紙をした後、カール調整設定が変更されているため、図５に示すように操作部１４０にカール状態確認画面１４１０を表示し、以降の処理方法の設定を操作者に求める。なお、カール状態確認画面は図５に示すものに限定されるものではない。
カール状態確認画面１４１０で、「カール無し」釦１４１２、「カール有り」釦１４１３、「巻き付き回避設定キャンセル」釦１４１４のいずれかひとつが選択されると、巻き付き回避設定のキャンセルがされたか、すなわち「巻き付き回避設定キャンセル」釦１４１４が押釦されたかの判定がされる（ステップｓ２３）。
巻き付き回避設定がキャンセルされている場合（ステップｓ２３、Ｙ）、１面目定着後のカール調整設定をカール調整無しに戻し（ステップｓ２７）、リカバリ方法決定シーケンスを終了する。
【００６６】
一方、ステップｓ２３で巻き付き回避設定キャンセルでない場合、すなわち、「カール無し」釦１４１２、「カール有り」釦１４１３のいずれかが押釦された場合、出力物のデカーラ処理が必要かを判定する（ステップｓ２４）。「カール無し」釦１４１２が押釦されている場合、出力物のデカーラ処理は必要でないため（ステップｓ２４、Ｎ）、リカバリ方法決定シーケンスを終了する。一方、「カール有り」釦１４１３が押釦されている場合、出力物のデカーラ処理が必要とされることがあり（ステップｓ２４、Ｙ）、２面目定着後のデカーラ設定画面を表示し、操作者に設定入力を求める（ステップｓ２５）。
【００６７】
図１０は、操作部１４０に表示された２面目定着後のデカーラ設定画面１４２０の例を示すものである。
２面目定着後のデカーラ設定画面１４２０には、カール調整後にカールがあること、出力物のデカーラを実施するかの問い合わせを表示するメッセージ欄１４２１を有している。さらに、「実施する」釦１４２２と「実施しない」釦１４２５が押釦可能に表示されており、「実施する」釦１４２２に関連付けられて、「デカーラＡ」釦１４２３と「デカーラＢ」釦１４２４とが押釦可能に表示されている。「実施する」釦１４２２が押釦された際にのみ、「デカーラＡ」釦１４２３と「デカーラＢ」釦１４２４とが押釦可能になり、いずれかを選択することができる。なお、デフォルトで「デカーラＡ」釦１４２３と「デカーラＢ」釦１４２４のいずれかが選択された状態になるようにしてもよい。
【００６８】
「実施する」釦１４２２が押釦され、かつ「デカーラＡ」釦１４２３と「デカーラＢ」釦１４２４のいずれかが押釦されると、２面目定着後の用紙は、デカーラ６０の曲げ経路６０Ａ、６０Ｂのいずれかを通してカールの修正が行われる。なお、「デカーラＡ」釦１４２３および「デカーラＢ」釦１４２４と曲げ経路６０Ａおよび曲げ経路６０Ｂとを関連付けておくことで、選択された「デカーラＡ」釦１４２３または「デカーラＢ」釦１４２４に応じた曲げ経路６０Ａ、６０Ｂが選択される。例えば、「デカーラＡ」釦１４２３と曲げ経路６０Ａを関連付けることで、「デカーラＡ」釦１４２３が押釦されることで用紙は曲げ経路６０Ａを通り、「デカーラＢ」釦１４２４と曲げ経路６０Ｂを関連付けることで、「デカーラＢ」釦１４２４が押釦されることで用紙は曲げ経路６０Ｂを通る。
【００６９】
上記デカーラの設定後、カール調整とデカーラとが実施されるサンプル出力が実施され（ステップｓ２６）、ステップｓ２３に戻って再度、操作部１４０にカール状態確認画面１４１０を表示し、以降の処理方法の設定を操作者に求める。
上記により、用紙の巻き付きの再発を効果的に防止しつつ操作者の希望に添ったカール状態の出力物を得ることができる。
【００７０】
なお、上記実施形態では、用紙の巻き付きが生じた場合、巻き付き回避設定にてリカバリ動作を実施するか否かをユーザーに選択させるようにしているが、巻き付き回避の適用範囲をユーザーが設定できるようにし、設定された適用範囲に応じて巻き付き回避動作の有効、無効を決定するようにしてもよい。
適用範囲としては以下の４種類を例示することができる。
（１）巻き付き回避設定無し。
（２）巻き付きＪＡＭ発生ページのみ巻き付き回避設定を適用する。
（３）巻き付きＪＡＭ発生ＪＯＢのみ巻き付き回避設定を適用する。
（４）巻き付きＪＡＭ発生トレイのみ巻き付き回避設定を適用する。
【００７１】
（１）の「巻き付き回避設定無し」が設定されていた場合は、巻き付きＪＡＭが発生しても上記で記述したようなリカバリ方法選択画面は表示せず、他の搬送系ＪＡＭ同様にそのままリカバリを実施する。ユーザーがＪＯＢ中に設定を変えたくない場合などは、予めこの設定しておく。
【００７２】
（２）の「巻き付きＪＡＭ発生ページのみ巻き付き回避設定を適用する」が設定されていた場合は、巻き付きＪＡＭが発生したページを記憶しておき、巻き付きＪＡＭが発生したページのみ巻き付き回避用のデカーラ設定を有効にし、他のページでは従来通りの設定でリカバリを実施する。そのページの用紙先端部の画像が濃いことで巻き付きＪＡＭが発生するケースにおいて、そのページだけを狙って巻き付き回避させ、他のページでは従来の設定のままとしたい場合にこの設定にしておく。
【００７３】
（３）の「巻き付きＪＡＭ発生ＪＯＢのみ巻き付き回避設定を適用する」が設定されていた場合は、巻き付きＪＡＭが発生したＪＯＢに対しては常に巻き付き回避用のデカーラ設定を有効にし、ＪＯＢが終了して他のＪＯＢに変わった時点で設定を解除して従来の設定に戻す。
巻き付きＪＡＭが発生したＪＯＢの中で画像が濃いページが多い場合や、生産性を優先したい場合にこの設定にしておく（ページごとにデカーラ設定を切り替える場合はデカーラ切り替え待ちのため生産性が落ちる為（ため））。
【００７４】
（４）の「巻き付きＪＡＭ発生トレイのみ巻き付き回避設定を適用する」が設定されていた場合は、巻き付きＪＡＭが発生したＪＯＢが使用したトレイに対して巻き付き回避設定を有効にし、紙種、斤量などの紙の情報が変更されたり、用紙が再セットさた事を検知したなど、そのトレイの用紙が変えられたことを検知した場合は巻き付き回避設定を解除して従来の設定に戻す。トレイにセットされている用紙自体が水分を含んでいて定着を通ることでカールしやすくなっていたり、用紙自体の特性でカールしやすいものの場合はこの設定にしておく。
【００７５】
上記のようにこの実施形態では、巻き付き回避機能が有効になった場合、所定の条件内で該機能を継続することができる。上記のようにこの実施形態では、巻き付き回避機能に関する設定として巻き付き回避機能実行の適用範囲を操作部を通して操作者が設定することができる。
【００７６】
なお、上記各実施形態では、１面目の定着後、２面目の画像形成の前にカール調整を行うか否かの設定を行っている。このため１面目の画像形成、定着に際し巻き付きが生じた場合、この巻き付きの再発を効果的に防止することができない。
図１１は、１面目への画像形成、定着に際し巻き付きを防止できる画像形成装置１Ａの概要を示すものである。なお、上記実施形態と同様の構成については同一の符号を付してその説明を省略または簡略化する。
【００７７】
画像形成装置１Ａでは、前記画像形成装置１と同様にカール調整器５０、デカーラ６０を備えているとともに、レジストローラー２３の上流側の用紙搬送路２２にカール調整器７０を配置したものであり、カール調整器７０では、１面目で生じる巻き付き方向と逆の方向において、１面目の画像形成を行う前の用紙にカールする応力を与えてカール調整を行うことができる。用紙搬送路２２を搬送される用紙は、カール調整器７０を通るか、カール調整器７０を通ることなくストレートに搬送するかを選択することができ、該選択は制御ＣＰＵ１１３の制御によって実行される。
【００７８】
この実施形態では、用紙１面目への画像形成や定着において用紙の巻き付きが生じた場合、後続の用紙においてカール調整器７０によるカール調整を行うように設定することができる。用紙１面目への画像形成や定着において用紙の巻き付きが生じない場合には、カール調整器７０に用紙を通すことなくカール調整器７０をバイパスしてストレートに用紙を搬送する。また、カール調整の結果、出力物にカールが残存する場合、前記各実施形態と同様にデカーラ６０によってカールを修正するようにしてもよい。
この実施形態では、１面目の巻き付きジャム発生時に１面目画像形成前のカール調整器に対して前記各実施形態と同様の制御を適用することで、１面目の巻き付きジャムに対しても効果がある。なお、カール調整器７０のみを有し、カール調整器５０を有しない構成においても、二面目で生じる巻き付きの再発防止をカール調整器７０の動作によって実現することができる。
【００７９】
また、上記各実施形態では、画像形成部、定着装置、カール調整器がいずれも一つの画像形成装置に備えられるものとして説明したが、本発明としてはこれらが一つの装置に備えられている必要はなく、複数の装置に亘ってこれら構成が備えられるものであってもよい。
図１２は、画像形成部１０と第１の定着部に相当する定着装置１９が画像形成装置１Ｂに備えられ、カール調整器５０が、外部装置２００に備えられた画像形成システムの概要を示すものである。
【００８０】
この実施形態では、画像形成装置１Ｂで画像の定着がされて排紙された用紙が、外部装置２００の第２の定着部に相当する定着装置２１０でさらに定着がされ、二面目の画像形成に際しては、外部装置２００から画像形成装置１Ｂに亘って配設されている用紙反転搬送路４５を通して画像形成装置１Ｂに環流され、上記と同様に画像形成プロセスが実行される。この実施形態では、中間転写ベルト１６や定着装置１９、２１０などで用紙の巻き付きが生じた場合、前記各実施形態と同様の制御によりカール調整器５０による巻き付き回避動作を行うことができる。カール調整後に出力物としてカールがある場合には、前記各実施形態と同様に、デカーラ６０によるカールの修正を行ってもよい。
また、この実施形態においても、１面目で巻き付きが生じる場合、この巻き付き再発を防止できるように、レジストローラー２３の上流側の用紙搬送路２２にカール調整器を配置して、前記各実施形態と同様の制御により１面目の画像形成に際しての用紙巻き付きの再発を防止することもできる。
【００８１】
以上説明したように、本実施形態によれば、巻き付きＪＡＭが発生した場合において、ユーザーにとって簡易な方法で対処することができ、同じ要因での巻き付きＪＡＭ再発を防止することができる。また、従来巻き付きが発生する可能性の低い用紙やページに対しては、用紙に対して不要な負荷を与えることがないため、安定した搬送性能が維持できる。
【００８２】
以上、本発明について上記実施形態に基づいて説明を行ったが、本発明は上記実施形態の説明に限定されるものではなく、本発明の範囲を逸脱しない限りは適宜の変更が可能である。
【符号の説明】
【００８３】
１、１Ａ、１Ｂ  画像形成装置
１０  画像形成部
１６  中間転写ベルト
１９  定着装置
２２  用紙搬送路
４５  用紙反転搬送路
５０  カール調整器
６０  デカーラ
７０  カール調整器
１１３  制御ＣＰＵ
１４０  操作部
２００  外部装置
２１０  定着装置
１４００  リカバリ方法選択画面
１４１０  カール状態確認画面
１４２０  ２面目定着後のデカーラ設定画面
【図１】
2015022240.tif 000003
【図２】
2015022240.tif 000004
【図３】
2015022240.tif 000005
【図４】
2015022240.tif 000006
【図５】
2015022240.tif 000007
【図６】
2015022240.tif 000008
【図７】
2015022240.tif 000009
【図８】
2015022240.tif 000010
【図９】
2015022240.tif 000011
【図１０】
2015022240.tif 000012
【図１１】
2015022240.tif 000013
【図１２】
2015022240.tif 000014